(57)【特許請求の範囲】
【請求項１】
それぞれが吸着剤を担持する第１吸着熱交換器（33a）及び第２吸着熱交換器（33b）と、容量可変の圧縮機（31）と、膨張弁（37,38）と、四方切換弁（32）とを有して冷凍サイクルを行う冷媒回路（30）を備え、
上記四方切換弁（32）を所定の切換時間毎に作動させることによって、上記第２吸着熱交換器（33b）が放熱器となって空気を加湿し且つ上記第１吸着熱交換器（33a）が蒸発器となって空気を除湿する第１動作と、上記第１吸着熱交換器（33a）が放熱器となって空気を加湿し且つ上記第２吸着熱交換器（33b）が蒸発器となって空気を除湿する第２動作とを交互に繰り返し行い、
上記第１吸着熱交換器（33a）と上記第２吸着熱交換器（33b）の一方を通過した空気を室内へ供給し、他方を通過した空気を室外へ排出する調湿装置であって、
上記冷媒回路（30）が行う冷凍サイクルの高圧と低圧の差が所定の基準圧力を超えると、上記四方切換弁（32）が作動するまでの第１所定時間に亘って上記圧縮機（31）の容量を一時的に低下させる切換準備動作を行う制御器（100）を備え、
上記制御器（100）は、上記切換準備動作中に低下させた上記圧縮機（31）の容量を上記四方切換弁（32）が作動するまで一定に保持し、
上記制御器（100）は、上記第１動作および上記第２動作の開始から上記四方切換弁（32）が作動する時点の第２所定時間前までは上記膨張弁（37,38）の開度を一定に保持し、上記四方切換弁（32）が作動するまでの上記第２所定時間に上記膨張弁（37,38）の開度を調節する開度制御動作を行い、
上記第１所定時間が上記第２所定時間よりも長くなっており、
上記制御器（100）は、上記切換準備動作中に上記圧縮機（31）の容量が一定に保持された状態で上記膨張弁（37,38）の開度調節を開始する
ことを特徴とする調湿装置。
【請求項２】
請求項１において、
上記制御器（100）は、上記第１動作および上記第２動作の開始から上記切換準備動作の開始までに亘って、上記圧縮機（31）を上記調湿装置の調湿負荷に応じて決定した要求容量に保持し、上記切換準備動作中には上記圧縮機（31）の容量を上記要求容量よりも低くする
ことを特徴とする調湿装置。
【発明の詳細な説明】
【技術分野】
【０００１】
本発明は、吸着剤を担持した吸着熱交換器を用いて空気の湿度を調節する調湿装置に関する。
【背景技術】
【０００２】
特許文献１及び２には、吸着剤を担持する吸着熱交換器を用いて空気の湿度を調節する調湿装置が開示されている。この調湿装置は、圧縮機と、膨張弁と、四方切換弁と、二つの吸着熱交換器とが設けられた冷媒回路を備えている。
【０００３】
この調湿装置は、いわゆるバッチ動作を行う。具体的に、この調湿装置では、圧縮機の運転中に、冷媒回路の四方切換弁が所定の時間毎（例えば３分毎）に作動する。冷媒回路の四方切換弁が作動すると、第１吸着熱交換器が凝縮器となって第２吸着熱交換器が蒸発器となる動作と、第２吸着熱交換器が凝縮器となって第１吸着熱交換器が蒸発器となる動作とが相互に切り換わる。
【０００４】
この調湿装置は、これら二つの動作を、所定の時間毎に交互に繰り返し行い、蒸発器として機能する吸着熱交換器において除湿された空気と、凝縮器として機能する吸着熱交換器において加湿された空気の一方を室内へ供給して他方を室外へ排出する。具体的に、調湿装置は、除湿された室外空気を室内へ供給して加湿された室内空気を室外へ排出する除湿運転と、加湿された室外空気を室内へ供給して除湿された室内空気を室外へ排出する加湿運転とを行う。
【先行技術文献】
【特許文献】
【０００５】
【特許文献１】特開２００６−３２９５９１号公報
【特許文献２】特開２００４−３５３８８９号公報
【発明の概要】
【発明が解決しようとする課題】
【０００６】
上述したように、特許文献１及び２に開示されている調湿装置は、上述した二つの動作を交互に繰り返し行う。その際、冷媒回路では、圧縮機の運転中に四方切換弁が作動する。このため、上記の調湿装置の冷媒回路では、冷凍サイクルの高圧と低圧の差ΔＰが周期的に変動する。
【０００７】
調湿装置の冷媒回路における圧力差ΔＰの変動について、図１２を参照しながら説明する。時刻ｔ１において四方切換弁が作動し、調湿装置の動作が切り換わったとする。この場合、時刻ｔ１では、それまで凝縮器として機能していた第２吸着熱交換器が圧縮機の吸入側に接続し、それまで蒸発器として機能していた第１吸着熱交換器が圧縮機の吐出側に接続する。このため、圧力差ΔＰは、先ず急激に減少し、その後は第１動作が終了する時刻ｔ２まで（つまり、次に四方切換弁が作動するまで）次第に増加してゆく。そして、圧力差ΔＰの増加中に四方切換弁が作動し、調湿装置の動作が切り換わる。すると、圧力差ΔＰは、再び急激に減少し、その後は第２動作が終了する時刻ｔ３まで次第に増加してゆく。
【０００８】
このように、調湿装置の冷媒回路では、圧力差ΔＰが比較的大きい状態で四方切換弁が作動する。このため、冷媒回路における冷媒の流れ方向や流速が急激に変化し、騒音が発生するおそれがあった。特に、調湿装置の冷媒回路では、四方切換弁が比較的短い時間間隔で頻繁に作動する。このため、四方切換弁の作動時に生じる騒音によって、ユーザーの快適性を損なうおそれがあった。
【０００９】
本発明は、かかる点に鑑みてなされたものであり、その目的は、吸着熱交換器を備えてバッチ動作を行う調湿装置において、四方切換弁の作動時に生じる騒音を低減することにある。
【課題を解決するための手段】
【００１０】
第１の発明は、それぞれが吸着剤を担持する第１吸着熱交換器（33a）及び第２吸着熱交換器（33b）と、容量可変の圧縮機（31）と、膨張弁（37,38）と、四方切換弁（32）とを有して冷凍サイクルを行う冷媒回路（30）を備え、上記四方切換弁（32）を所定の切換時間毎に作動させることによって、上記第２吸着熱交換器（33b）が放熱器となって空気を加湿し且つ上記第１吸着熱交換器（33a）が蒸発器となって空気を除湿する第１動作と、上記第１吸着熱交換器（33a）が放熱器となって空気を加湿し且つ上記第２吸着熱交換器（33b）が蒸発器となって空気を除湿する第２動作とを交互に繰り返し行い、上記第１吸着熱交換器（33a）と上記第２吸着熱交換器（33b）の一方を通過した空気を室内へ供給し、他方を通過した空気を室外へ排出する調湿装置を対象とする。そして、上記冷媒回路（30）が行う冷凍サイクルの高圧と低圧の差が所定の基準圧力を超えると、上記四方切換弁（32）が作動するまでの第１所定時間に亘って上記圧縮機（31）の容量を一時的に低下させる切換準備動作を行う制御器（100）を備えるものである。
【００１１】
第１の発明では、冷媒回路（30）の四方切換弁（32）が所定の切換時間毎に作動し、切換時間が経過する毎に第１動作と第２動作が相互に切り換わる。冷媒回路（30）では、冷凍サイクルが行われ、第１吸着熱交換器（33a）と第２吸着熱交換器（33b）の一方が放熱器として機能し、他方が蒸発器として機能する。放熱器として機能する吸着熱交換器（33a,33b）では、冷媒によって加熱された吸着剤から水分が脱離し、この水分が吸着熱交換器（33a,33b）を通過する空気に付与される。蒸発器として機能する吸着熱交換器（33a,33b）では、そこを通過する空気中の水分が吸着剤に吸着され、その際に生じた吸着熱を冷媒が吸収して蒸発する。
【００１２】
第１の発明の調湿装置（10）では、冷媒回路（30）が行う冷凍サイクルの高圧と低圧の差ΔＰが変動する。この圧力差ΔＰは、四方切換弁（32）が作動した直後（即ち、調湿装置（10）の動作が第１動作と第２動作の一方から他方へ切り換わった直後）に一旦減少し、その後に次第に増加してゆく。この発明の制御器（100）は、圧力差ΔＰが所定の規準圧力を超えると、切換準備動作を行う。この切換準備動作において、制御器（100）は、四方切換弁（32）の作動時点よりも第１所定時間だけ前の時刻になると圧縮機（31）の容量を低下させ、四方切換弁（32）が作動すると圧縮機（31）の容量を元に戻す。
【００１３】
第１の発明の制御器（100）が切換準備動作を行った場合は、四方切換弁（32）の作動前に圧縮機（31）の容量が一時的に低下する。圧縮機（31）の容量が低下すると、冷媒回路（30）が行う冷凍サイクルの高圧と低圧の差ΔＰも低下する。従って、この場合は、四方切換弁（32）が作動するまで圧縮機（31）の容量を一定に保った場合に比べ、四方切換弁（32）が作動する時点における圧力差ΔＰが低くなる。
【００１４】
また、第１の発明は、上記の構成に加えて、上記制御器（100）は、上記切換準備動作中に低下させた上記圧縮機（31）の容量を上記四方切換弁（32）が作動するまで一定に保持するものである。
【００１５】
第１の発明において、切換準備動作を行う制御器（100）は、低下させた圧縮機（31）の容量を、次に四方切換弁（32）が作動するまで一定に保持する。
【００１６】
また、第１の発明は、上記の構成に加えて、上記制御器（100）は、上記第１動作および上記第２動作の開始から上記四方切換弁（32）が作動する時点の第２所定時間前までは上記膨張弁（37,38）の開度を一定に保持し、上記四方切換弁（32）が作動するまでの上記第２所定時間に上記膨張弁（37,38）の開度を調節する開度制御動作を行う一方、上記第１所定時間が上記第２所定時間よりも長くなっているものである。
【００１７】
第１の発明では、制御器（100）が開度制御動作を行う。第１動作または第２動作が開始されると、制御器（100）は、次に四方切換弁（32）が作動する時点（即ち、第１動作または第２動作の終了時点）の第２所定時間前まで、膨張弁（37,38）の開度を一定に保持する。そして、四方切換弁（32）が作動する時点の第２所定時間前を過ぎると、制御器（100）は、四方切換弁（32）が作動するまでの間、膨張弁（37,38）の開度を調節する。つまり、制御器（100）は、繰り返し行われる第１動作および第２動作のそれぞれにおいて、各動作が終了するまでの第２所定時間に亘って膨張弁（37,38）の開度を調節する一方、それ以外の期間には膨張弁（37,38）の開度を一定に保持する。
【００１８】
第１の発明の制御器（100）では、切換準備動作に関する第１所定時間が、開度制御動作に関する第２所定時間よりも長くなっている。上述したように、制御器（100）は、冷媒回路（30）が行う冷凍サイクルの高圧と低圧の差ΔＰが基準圧力を超えた場合に切換準備動作を行う。その場合、制御器（100）は、四方切換弁（32）が作動する時点の第１所定時間前になると圧縮機（31）の容量を低下させ、その後に四方切換弁（32）が作動する時点の第２所定時間前になると膨張弁（37,38）の開度制御を開始する。
【００１９】
また、第１の発明は、上記の構成に加えて、上記制御器（100）は、上記切換準備動作中に上記圧縮機（31）の容量が一定に保持された状態で上記膨張弁（37,38）の開度調節を開始するものである。
【００２０】
第１の発明の制御器（100）は、切換準備動作中に上記圧縮機（31）の容量が一定に保持されてから、上記膨張弁（37,38）の開度調節を開始する。
【００２１】
第２の発明は、上記第１の発明において、上記制御器（100）は、上記第１動作および上記第２動作の開始から上記切換準備動作の開始までに亘って、上記圧縮機（31）を上記調湿装置の調湿負荷に応じて決定した要求容量に保持し、上記切換準備動作中には上記圧縮機（31）の容量を上記要求容量よりも低くするものである。
【００２２】
第２の発明において、制御器（100）は、調湿装置（10）の調湿負荷に応じて要求容量を決定する。そして、第１動作および第２動作の開始から切換準備動作の開始までの間は、制御器（100）が圧縮機（31）の容量を要求容量に保持する。切換準備動作を行う場合、制御器（100）は、次に四方切換弁（32）が作動する時点の第１所定時間前になると、圧縮機（31）の容量を要求容量よりも低くする。
【発明の効果】
【００２３】
本発明において、調湿装置（10）の制御器（100）は、冷媒回路（30）が行う冷凍サイクルの高圧と低圧の差ΔＰが基準圧力を超えると、切換準備動作を行う。このため、四方切換弁（32）が作動するまでの第１所定時間に亘って圧縮機（31）の容量が一時的に低下し、圧力差ΔＰも低下する。従って、本発明によれば、四方切換弁（32）が作動する時点における圧力差ΔＰを、四方切換弁（32）が作動するまで圧縮機（31）の運転容量を一定に保持した場合に比べて、小さくすることができる。その結果、四方切換弁（32）の作動に伴う冷媒の流れ方向や流速の変動を抑えることができ、四方切換弁（32）の作動に起因する騒音の小さくすることができる。
【００２４】
特に、上記第４の発明の制御器（100）は、切換準備動作によって圧縮機（31）の容量を低下させてから膨張弁（37,38）の開度調節を開始する。また、この発明の制御器（100）は、切換準備動作中に圧縮機（31）の容量を一定に保持する。従って、この発明によれば、圧縮機（31）の容量が一定に保持された状態で膨張弁（37,38）の開度調節を行うことができ、膨張弁（37,38）の開度を適切に制御することが可能となる。
【図面の簡単な説明】
【００２５】
【図１】図１は、実施形態の調湿装置の斜視図である。
【図２】図２は、ケーシングの一部を省略した実施形態の調湿装置の斜視図である。
【図３】図３は、ケーシングの一部を省略した実施形態の調湿装置を模式的に示した概略構成図であって、(Ａ)は平面図であり、(Ｂ)は正面図であり、(Ｃ)は左側面図であり、(Ｄ)は右側面図である。
【図４】図４は、実施形態の調湿装置を模式的に示した概略断面図であって、(Ａ)は図３(Ａ)のＹ−Ｙ断面を示し、(Ｂ)は図４(Ａ)のＺ−Ｚ断面を示す。
【図５】図５は、実施形態の調湿装置の冷媒回路を示す回路図、及びその制御器の構成を示すブロック図である。
【図６】図６は、実施形態の調湿装置における空気の流れを示す図３相当図であって、除湿運転の第１動作および加湿運転の第２動作における空気の流れを示すものである。
【図７】図７は、実施形態の調湿装置における空気の流れを示す図４相当図であって、除湿運転の第１動作および加湿運転の第２動作における空気の流れを示すものである。
【図８】図８は、実施形態の調湿装置における空気の流れを示す図３相当図であって、除湿運転の第２動作および加湿運転の第１動作における空気の流れを示すものである。
【図９】図９は、実施形態の調湿装置における空気の流れを示す図４相当図であって、除湿運転の第２動作および加湿運転の第１動作における空気の流れを示すものである。
【図１０】図１０は、実施形態の調湿装置における圧縮機の回転速度および膨張弁の開度の時間的な変化を示すタイムチャートである。
【図１１】図１１は、実施形態の調湿装置における冷凍サイクルの高圧と低圧の差ΔＰの時間的な変化を示すグラフである。
【図１２】図１２は、従来の調湿装置における冷凍サイクルの高圧と低圧の差ΔＰの時間的な変化を示すグラフである。
【発明を実施するための形態】
【００２６】
本発明の実施形態について説明する。なお、以下に示す実施形態は、本質的に好ましい例示であって、本発明、その適用物、あるいはその用途の範囲を制限することを意図するものではない。
【００２７】
本実施形態の調湿装置（10）は、室内の床面に設置されて室内の換気と湿度調節を行う床置き型の調湿装置である。この調湿装置（10）は、主として住宅に設置される。
【００２８】
調湿装置（10）の構成について図面を参照しながら説明する。なお、以下の説明における「上」「下」「右」「左」「前」「後」の各方向を表す記載は、特にことわらない限り、図１に示す調湿装置（10）を前面側から視た場合を基準とする。
【００２９】
〈調湿装置の全体構成〉
図１に示すように、調湿装置（10）は、縦長の直方体形の箱形のケーシング（11）を備えている。ケーシング（11）は、矩形板状の底板（12）及び天板（13）と、底板（12）及び天板（13）の四辺に対応して一つずつ配置されたパネル（14,15,16,17）とを備えている。これらのパネル（14,15,16,17）は、前面側に配置されたものが前面パネル（14）であり、後面側に配置されたものが後面パネル（15）であり、右側に配置されたものが右側面パネル（16）であり、左側に配置されたものが左側面パネル（17）である。
【００３０】
天板（13）には、４つのダクト接続口（18a〜18d）が取り付けられている。具体的に、天板（13）では、前側右寄りに給気接続口（18a）が、後側右寄りに排気接続口（18b）が、後側左寄りに外気接続口（18c）が、前側左寄りに内気接続口（18d）が、それぞれ設けられる。給気接続口（18a）及び内気接続口（18d）は、それぞれがダクトを介して室内空間と連通する。排気接続口（18b）及び外気接続口（18c）は、それぞれがダクトを介して室外空間と連通する。調湿装置（10）では、外気接続口（18c）へ室外空気（OA）が吸い込まれ、内気接続口（18d）へ室内空気（RA）が吸い込まれる。また、調湿装置（10）では、給気接続口（18a）から供給空気（SA）が吹き出され、排気接続口（18b）から排出空気（EA）が吹き出される。
【００３１】
図２〜図４に示すように、ケーシング（11）の内部には、下部空間（S1）と中間空間（S2）と上部空間（S3）とが形成される。
【００３２】
下部空間（S1）には、外気流入路（61）と、レヒート室（63）と、機械室（60）とが形成される。
【００３３】
外気流入路（61）は、ケーシング（11）の左側面パネル（17）に沿って上方へ延びている。この外気流入路（61）は、後述する外気吸込室（19c）を介して外気接続口（18c）と連通する（図３(Ｃ)と図４(Ａ)を参照）。
【００３４】
レヒート室（63）は、ケーシング（11）の左寄りに形成される。レヒート室（63）には、下側の下部外気流路（63a）と、上側の上部外気流路（63b）とが形成される。下部外気流路（63a）と上部外気流路（63b）は、互いに連通する。下部外気流路（63a）は、連通口（62）を介して外気流入路（61）と連通する（図３(Ｃ)を参照）。下部外気流路（63a）には、虫取りフィルタ（26）と、プリーツフィルタ（27）と、レヒート熱交換器（35）とが配置される。レヒート熱交換器（35）は、クロスフィン型のフィン・アンド・チューブ熱交換器である。
【００３５】
下部外気流路（63a）には、外気湿度センサ（113）と、第１外気温度センサ（114）と、第２外気温度センサ（115）とが設けられている。外気湿度センサ（113）及び第１外気温度センサ（114）は、レヒート熱交換器（35）の上流側に配置される。外気湿度センサ（113）は、レヒート熱交換器（35）を通過前の室外空気の相対湿度を計測する。第１外気温度センサ（114）は、レヒート熱交換器（35）を通過前の室外空気の温度を計測する。一方、第２外気温度センサ（115）は、レヒート熱交換器（35）の下流側に配置される。第２外気温度センサ（115）は、レヒート熱交換器（35）を通過後の室外空気の温度を計測する。
【００３６】
機械室（60）は、ケーシング（11）の右寄りに形成される。機械室（60）には、電装品箱（90）と圧縮機（31）と四方切換弁（32）とが配置される。電装品箱（90）には、インバータを構成するスイッチング素子が設けられたプリント基板や、制御器（100）を構成するマイコンが設けられたプリント基板などが収容されている。
【００３７】
中間空間（S2）には、中間外気流路（64）と、中間排気流路（65）と、第１調湿室（66a）と、第２調湿室（66b）とが形成されている。
【００３８】
中間外気流路（64）は、ケーシング（11）の左側面パネル（17）に沿って形成され、上部外気流路（63b）と連通する。一方、中間排気流路（65）は、ケーシング（11）の右側面パネル（16）に沿って形成され、排気連絡流路（68）と連通する。排気連絡流路（68）は、ケーシング（11）の右側面パネル（16）に沿って上方へ延びている。また、排気連絡流路（68）は、後述する排気室（19b）を介して排気接続口（18b）と連通する（図３(Ｄ)と図４(Ａ)を参照）。
【００３９】
第１調湿室（66a）及び第２調湿室（66b）は、中間外気流路（64）と中間排気流路（65）の間から中間外気流路（64）及び中間排気流路（65）の上側に亘って形成された空間である。第１調湿室（66a）は、ケーシング（11）の前面パネル（14）寄りに形成され、第２調湿室（66b）は、ケーシング（11）の後面パネル（15）寄りに形成される。
【００４０】
第１調湿室（66a）には第１吸着熱交換器（33a）が収容され、第２調湿室（66b）には第２吸着熱交換器（33b）が収容される。各吸着熱交換器（33a,33b）は、クロスフィン型のフィン・アンド・チューブ熱交換器の表面に吸着剤を担持させたものである。各吸着熱交換器（33a,33b）は、上下方向に空気が通過する姿勢で設置される。なお、吸着剤としては、ゼオライト、シリカゲル、活性炭、親水性の官能基を有する有機高分子材料等が用いられる。また、吸着剤としては、水分を吸着するだけで機能だけなく、水分を吸収する機能を有する材料（いわゆる収着剤）を用いてもよい。
【００４１】
中間外気流路（64）と各調湿室（66a,66b）を仕切る外気ダンパ仕切板（45a）には、第１ダンパ（D1）と第２ダンパ（D2）が前後に並んで取り付けられる。第１ダンパ（D1）は、第１調湿室（66a）と中間外気流路（64）の間を断続する。第２ダンパ（D2）は、第２調湿室（66b）と中間外気流路（64）の間を断続する。
【００４２】
中間排気流路（65）と各調湿室（66a,66b）を仕切る排気ダンパ仕切板（45b）には、第３ダンパ（D3）と第４ダンパ（D4）が前後に並んで取り付けられる。第３ダンパ（D3）は、第１調湿室（66a）と中間排気流路（65）の間を断続する。第４ダンパ（D4）は、第２調湿室（66b）と中間排気流路（65）の間を断続する。
【００４３】
上部空間（S3）には、室内給気室（19a）と、室外排気室（19b）と、外気吸込室（19c）と、内気吸込室（19d）とが形成される。室内給気室（19a）は給気接続口（18a）と連通し、室外排気室（19b）は排気接続口（18b）と連通し、外気吸込室（19c）は外気接続口（18c）と連通し、内気吸込室（19d）は内気接続口（18d）と連通する。室内給気室（19a）には、給気ファン（85）が設けられる。室外排気室（19b）には、排気ファン（88）が設けられる。
【００４４】
また、上部空間（S3）には、上部内気流路（69）と上部給気流路（70）とが形成される。上部内気流路（69）は、第１調湿室（66a）と第２調湿室（66b）の両方に隣接して形成され、内気吸込室（19d）と連通する。上部給気流路（70）は、第１調湿室（66a）と第２調湿室（66b）の両方に隣接して形成され、室内給気室（19a）と連通する。
【００４５】
上部内気流路（69）と各調湿室（66a,66b）を仕切る内気ダンパ仕切板（48a）には、第５ダンパ（D5）と第６ダンパ（D6）が前後に並んで取り付けられる。第５ダンパ（D5）は、第１調湿室（66a）と上部内気流路（69）の間を断続する。第６ダンパ（D6）は、第２調湿室（66b）と上部内気流路（69）の間を断続する。
【００４６】
上部給気流路（70）と各調湿室（66a,66b）を仕切る給気ダンパ仕切板（48b）には、第７ダンパ（D7）と第８ダンパ（D8）が前後に並んで取り付けられる。第７ダンパ（D7）は、第１調湿室（66a）と上部給気流路（70）の間を断続する。第８ダンパ（D8）は、第２調湿室（66b）と上部給気流路（70）の間を断続する。
【００４７】
上部内気流路（69）には、内気湿度センサ（111）が設けられる。内気湿度センサ（111）は、吸着熱交換器（33a,33b）を通過する前の室内空気の相対湿度を計測する。
【００４８】
〈冷媒回路〉
調湿装置（10）は、上述した圧縮機（31）や吸着熱交換器（33a,33b）が設けられた冷媒回路（30）を備えている。この冷媒回路（30）について、図５を参照しながら説明する。
【００４９】
冷媒回路（30）は、冷媒が充填された閉回路であって、蒸気圧縮式の冷凍サイクルを行う。この冷媒回路（30）は、圧縮機（31）と、四方切換弁（32）と、第１吸着熱交換器（33a）と、第２吸着熱交換器（33b）と、ブリッジ回路（36a）と、一方向回路（36）と、レヒート回路（36c）とを備えている。
【００５０】
冷媒回路（30）では、圧縮機（31）の吐出管（31a）が四方切換弁（32）の第１ポートに接続し、圧縮機（31）の吸入管（31b）が四方切換弁（32）の第３ポートに接続する。また、冷媒回路（30）では、四方切換弁（32）の第２ポートから第４ポートへ向かって順に、第１吸着熱交換器（33a）と、ブリッジ回路（36a）と、第２吸着熱交換器（33b）とが配置される。
【００５１】
ブリッジ回路（36a）は、４つの逆止弁（CV-1,CV-2,CV-3,CV-4）をブリッジ状に接続した回路である。ブリッジ回路（36a）では、第１逆止弁（CV-1）の流入側と第２逆止弁（CV-2）の流出側が接続され、第１逆止弁（CV-1）の流出側と第３逆止弁（CV-3）の流出側が接続され、第３逆止弁（CV-3）の流入側と第４逆止弁（CV-4）の流出側が接続され、第４逆止弁（CV-4）の流入側と第２逆止弁（CV-2）の流入側が接続される。ブリッジ回路（36a）は、第１逆止弁（CV-1）と第２逆止弁（CV-2）の間が第１吸着熱交換器（33a）に接続し、第３逆止弁（CV-3）と第４逆止弁（CV-4）の間が第２吸着熱交換器（33b）に接続する。
【００５２】
一方向回路（36）は、ブリッジ回路（36a）に接続される。具体的に、一方向回路（36）は、その入口端が第１逆止弁（CV-1）と第３逆止弁（CV-3）の間に接続し、その出口端が第２逆止弁（CV-2）と第４逆止弁（CV-4）の間に接続する。一方向回路（36）では、常にその入口端から出口端へ向かって冷媒が流れる。この一方向回路（36）には、第１膨張弁（37）が設けられる。
【００５３】
レヒート回路（36c）は、一方向回路（36）に接続される。このレヒート回路（36c）には、レヒート熱交換器（35）と第２膨張弁（38）が直列に設けられている。レヒート回路（36c）は、レヒート熱交換器（35）側の一端が第１膨張弁（37）の上流側に接続し、第２膨張弁（38）側の他端が第１膨張弁（37）の下流側に接続する。
【００５４】
圧縮機（31）は、圧縮機構とそれを駆動する電動機とが一つのケーシングに収容された全密閉型の圧縮機である。この圧縮機（31）の電動機には、インバータを介して交流が供給される。インバータの出力周波数（即ち、圧縮機の運転周波数）を変更すると、電動機とそれによって駆動される圧縮機構の回転速度が変化し、圧縮機（31）の容量が変化する。
【００５５】
四方切換弁（32）は、第１ポートと第４ポートが連通して第２ポートと第３ポートが連通する第１状態（図５の実線で示す状態）と、第１ポートと第２ポートが連通して第３ポートと第４ポートが連通する第２状態（図５の破線で示す状態）とに切り換わる。第１膨張弁（37）及び第２膨張弁（38）は、弁体とそれを駆動するパルスモータとを備えた開度可変の電子膨張弁である。
【００５６】
冷媒回路（30）には、第１冷媒温度センサ（116）と第２冷媒温度センサ（117）とが設けられる。第１冷媒温度センサ（116）は、第１吸着熱交換器（33a）のガス側の端部（即ち、四方切換弁（32）に接続された端部）に取り付けられ、そこを流れる冷媒の温度を計測する。第２冷媒温度センサ（117）は、第２吸着熱交換器（33b）のガス側の端部（即ち、四方切換弁（32）に接続された端部）に取り付けられ、そこを流れる冷媒の温度を計測する。
【００５７】
また、冷媒回路（30）には、高圧センサ（118）と低圧センサ（119）とが設けられる。高圧センサ（118）は、圧縮機（31）の吐出管（31a）と四方切換弁（32）を繋ぐ配管に取り付けられ、圧縮機（31）から吐出された高圧冷媒の圧力を計測する。高圧センサ（118）の計測値は、冷媒回路（30）が行う冷凍サイクルの高圧である。低圧センサ（119）は、圧縮機（31）の吸入管（31b）と四方切換弁（32）を繋ぐ配管に取り付けられ、圧縮機（31）へ吸入される低圧冷媒の圧力を計測する。低圧センサ（119）の計測値は、冷媒回路（30）が行う冷凍サイクルの低圧である。
【００５８】
〈制御器〉
調湿装置（10）は、制御器（100）を備えている。制御器（100）には、調湿装置（10）に設けられたセンサ（111〜117）の計測値が入力されている。制御器（100）は、入力されたセンサ（111〜117）の計測値を用いて、調湿装置（10）の運転を制御する。
【００５９】
図５に示すように、制御器（100）は、圧縮機制御部（101）と、膨張弁制御部（102）とを備えている。圧縮機制御部（101）は、圧縮機（31）へ供給される交流の周波数（即ち、インバータの出力周波数）を調節することによって、圧縮機（31）の回転速度を制御する。つまり、圧縮機制御部（101）は、圧縮機（31）の容量を制御する。一方、膨張弁制御部（102）は、第１膨張弁（37）及び第２膨張弁（38）の開度を制御する。また、制御器（100）は、四方切換弁（32）や各ダンパ（D1〜D8）を操作したり、各ファン（85,88）の回転速度を制御する動作を行う。
【００６０】
−運転動作−
調湿装置（10）の運転動作について説明する。調湿装置（10）は、除湿した空気を室内へ供給する除湿運転と、加湿した空気を室内へ供給する加湿運転とを選択的に実行する。
【００６１】
〈除湿運転〉
除湿運転は、主に、室外空気の温度と湿度とが比較的高い夏季に行われる。除湿運転中において、調湿装置（10）は、第１動作と第２動作を所定の切換時間（例えば１８０秒）ずつ交互に実行する。つまり、調湿装置（10）では、切換時間が経過する毎に四方切換弁（32）が作動し、第１動作と第２動作が相互に切り換わる。
【００６２】
先ず、除湿運転中の冷媒回路（30）の動作について説明する。
【００６３】
除湿運転の第１動作において、冷媒回路（30）は、第２吸着熱交換器（33b）が凝縮器（即ち、放熱器）として機能し、第１吸着熱交換器（33a）が蒸発器として機能する冷凍サイクルを行う。冷媒回路（30）では、四方切換弁（32）が第１状態に設定される。また、制御器（100）は、第１膨張弁（37）の開度を適宜調節し、第２膨張弁（38）を全閉状態または僅かに開いた状態に保持する。圧縮機（31）が運転されると、圧縮機（31）で圧縮された冷媒が第２吸着熱交換器（33b）で放熱し、ブリッジ回路（36a）を通過して、一方向回路（36）を流れる。一方向回路（36）では、冷媒が第１膨張弁（37）によって減圧される。第１膨張弁（37）で減圧された冷媒は、ブリッジ回路（36a）を通過し、第１吸着熱交換器（33a）で蒸発し、圧縮機（31）に吸入される。
【００６４】
除湿運転の第２動作において、冷媒回路（30）は、第１吸着熱交換器（33a）が凝縮器（即ち、放熱器）として機能し、第２吸着熱交換器（33b）が蒸発器として機能する冷凍サイクルを行う。冷媒回路（30）では、四方切換弁（32）が第２状態に設定される。また、制御器（100）は、第１膨張弁（37）の開度を適宜調節し、第２膨張弁（38）を全閉状態または僅かに開いた状態に保持する。圧縮機（31）が運転されると、圧縮機（31）で圧縮された冷媒が第１吸着熱交換器（33a）で放熱し、ブリッジ回路（36a）を通過して、一方向回路（36）を流れる。一方向回路（36）では、冷媒が第１膨張弁（37）によって減圧される。第１膨張弁（37）で減圧された冷媒は、ブリッジ回路（36a）を通過し、第２吸着熱交換器（33b）で蒸発し、圧縮機（31）に吸入される。
【００６５】
調湿装置（10）の除湿運転において、レヒート熱交換器（35）は、実質的に冷媒が流れない停止状態となる。
【００６６】
次に、除湿運転中の空気の流れについて説明する。
【００６７】
除湿運転の第１動作では、図６及び図７に示すように、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となり、給気ファン（85）及び排気ファン（88）が運転される。
【００６８】
除湿運転の第１動作において、ダクトを流れて外気吸込室（19c）に取り込まれた室外空気（OA）は、外気流入路（61）を通って下部外気流路（63a）へ流入する。この空気は、虫取りフィルタ（26）及びプリーツフィルタ（27）を順に流れて清浄化された後、レヒート熱交換器（35）を通過する。除湿運転では、上述のようにレヒート熱交換器（35）が停止状態である。このため、レヒート熱交換器（35）では、空気が加熱されることがない。
【００６９】
レヒート熱交換器（35）を通過した空気は、上部外気流路（63b）、中間外気流路（64）、第１ダンパ（D1）を順に流れ、第１吸着熱交換器（33a）を通過する。蒸発器として機能する第１吸着熱交換器（33a）では、空気中の水蒸気が吸着剤に吸着され、冷媒がその際に生じた吸着熱を吸収して蒸発する。第１吸着熱交換器（33a）で除湿された空気は、第７ダンパ（D7）、上部給気流路（70）、室内給気室（19a）を順に流れ、ダクトを通って室内空間へ供給空気（SA）として供給される。
【００７０】
除湿運転の第１動作において、室内側のダクトを流れて内気吸込室（19d）に取り込まれた室内空気（RA）は、上部内気流路（69）、第６ダンパ（D6）を順に流れ、第２吸着熱交換器（33b）を通過する。凝縮器（即ち、放熱器）として機能する第２吸着熱交換器（33b）では、吸着剤から脱離した水分が空気に付与される。第２吸着熱交換器（33b）において加湿された空気は、第４ダンパ（D4）、中間排気流路（65）、排気連絡流路（68）、室外排気室（19b）を順に流れ、ダクトを通って室外空間へ排出空気（EA）として排出される。
【００７１】
除湿運転の第２動作では、図８及び図９に示すように、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となり、給気ファン（85）及び排気ファン（88）が運転される。
【００７２】
除湿運転の第２動作において、ダクトを流れて外気吸込室（19c）に取り込まれた室外空気（OA）は、外気流入路（61）を通って下部外気流路（63a）へ流入する。この空気は、虫取りフィルタ（26）及びプリーツフィルタ（27）を順に流れて清浄化された後、レヒート熱交換器（35）を通過する。除湿運転では、上述のようにレヒート熱交換器（35）が停止状態である。このため、レヒート熱交換器（35）では、空気が加熱されることがない。
【００７３】
レヒート熱交換器（35）を通過した空気は、上部外気流路（63b）、中間外気流路（64）、第２ダンパ（D2）を順に流れ、第２吸着熱交換器（33b）を通過する。蒸発器として機能する第２吸着熱交換器（33b）では、空気中の水蒸気が吸着剤に吸着され、冷媒がその際に生じた吸着熱を吸収して蒸発する。第２吸着熱交換器（33b）で除湿された空気は、第８ダンパ（D8）、上部給気流路（70）、室内給気室（19a）を順に流れ、ダクトを通って室内空間へ供給空気（SA）として供給される。
【００７４】
除湿運転の第２動作において、室内側のダクトを流れて内気吸込室（19d）に取り込まれた室内空気（RA）は、上部内気流路（69）、第５ダンパ（D5）を順に流れ、第１吸着熱交換器（33a）を通過する。凝縮器として機能する第１吸着熱交換器（33a）では、吸着剤から脱離した水分が空気に付与される。第１吸着熱交換器（33a）において加湿された空気は、第３ダンパ（D3）を通過し、中間排気流路（65）、排気連絡流路（68）、室外排気室（19b）を順に流れ、ダクトを通って室外空間へ排出空気（EA）として排出される。
【００７５】
〈加湿運転〉
加湿運転は、主に、室外空気の温度と湿度とが比較的低い冬季に行われる。加湿運転中において、調湿装置（10）は、第１動作と第２動作を所定の切換時間（例えば２１０秒）ずつ交互に実行する。つまり、調湿装置（10）では、切換時間が経過する毎に四方切換弁（32）が作動し、第１動作と第２動作が相互に切り換わる。
【００７６】
先ず、加湿運転中の冷媒回路（30）の動作について説明する。
【００７７】
加湿運転の第１動作において、冷媒回路（30）は、第２吸着熱交換器（33b）が凝縮器（即ち、放熱器）として機能し、第１吸着熱交換器（33a）が蒸発器として機能する冷凍サイクルを行う。冷媒回路（30）では、四方切換弁（32）が第１状態に設定される。また、レヒート熱交換器（35）へ冷媒を流す場合、制御器（100）は、第１膨張弁（37）を全閉状態に保持し、第２膨張弁（38）の開度を適宜調節する。圧縮機（31）が運転されると、圧縮機（31）で圧縮された冷媒が第２吸着熱交換器（33b）で放熱し、ブリッジ回路（36a）を通過して、レヒート回路（36c）を流れる。レヒート回路（36c）では、高圧冷媒がレヒート熱交換器（35）を流れ、この冷媒が室外空気（OA）へ放熱する。レヒート熱交換器（35）で放熱した冷媒は、第２膨張弁（38）によって減圧される。第２膨張弁（38）で減圧された冷媒は、ブリッジ回路（36a）を通過し、第１吸着熱交換器（33a）で蒸発し、圧縮機（31）に吸入される。
【００７８】
加湿運転の第２動作において、冷媒回路（30）は、第１吸着熱交換器（33a）が凝縮器（即ち、放熱器）として機能し、第２吸着熱交換器（33b）が蒸発器として機能する冷凍サイクルを行う。冷媒回路（30）では、四方切換弁（32）が第２状態に設定される。また、レヒート熱交換器（35）へ冷媒を流す場合、制御器（100）は、第１膨張弁（37）を全閉状態に保持し、第２膨張弁（38）の開度を適宜調節する。圧縮機（31）が運転されると、圧縮機（31）で圧縮された冷媒が第１吸着熱交換器（33a）で放熱し、ブリッジ回路（36a）を通過して、レヒート回路（36c）を流れる。レヒート回路（36c）では、高圧冷媒がレヒート熱交換器（35）を流れ、この冷媒が室外空気（OA）へ放熱する。レヒート熱交換器（35）で放熱した冷媒は、第２膨張弁（38）によって減圧される。第２膨張弁（38）で減圧された冷媒は、ブリッジ回路（36a）を通過し、第２吸着熱交換器（33b）で蒸発し、圧縮機（31）に吸入される。
【００７９】
以上のように、加湿運転中には、レヒート回路（36c）に冷媒が供給され、レヒート熱交換器（35）を冷媒が流れる場合がある。レヒート熱交換器（35）の加熱能力は、第２膨張弁（38）の開度を制御することによって調節される。また、この加湿運転中に室外空気（OA）の温度が所定温度よりも高くなった場合、制御器（100）は、第１膨張弁（37）の開度を適宜調節し、第２膨張弁（38）を全閉状態または僅かに開いた状態に保持する。この場合、レヒート熱交換器（35）は停止状態となる。
【００８０】
次に、加湿運転中の空気の流れについて説明する。
【００８１】
加湿運転の第１動作では、図８及び図９に示すように、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となり、給気ファン（85）及び排気ファン（88）が運転される。
【００８２】
加湿運転の第１動作において、ダクトを流れて外気吸込室（19c）に取り込まれた室外空気（OA）は、外気流入路（61）を通って下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【００８３】
レヒート熱交換器（35）で加熱された空気は、上部外気流路（63b）、中間外気流路（64）、第２ダンパ（D2）を順に流れ、第２吸着熱交換器（33b）を通過する。凝縮器として機能する第２吸着熱交換器（33b）では、吸着剤から脱離した水分が空気に付与される。第２吸着熱交換器（33b）で加湿された空気は、第８ダンパ（D8）、上部給気流路（70）、室内給気室（19a）を順に流れ、ダクトを通って室内空間へ供給空気（SA）として供給される。
【００８４】
加湿運転の第１動作において、室内側のダクトを流れて内気吸込室（19d）に取り込まれた室内空気（RA）は、上部内気流路（69）、第５ダンパ（D5）を順に流れ、第１吸着熱交換器（33a）を通過する。蒸発器として機能する第１吸着熱交換器（33a）では、空気中の水蒸気が吸着剤に吸着される。第１吸着熱交換器（33a）の吸着剤に水分を奪われた空気は、第３ダンパ（D3）、中間排気流路（65）、排気連絡流路（68）、室外排気室（19b）を順に流れ、ダクトを通って室外空間へ排出空気（EA）として排出される。
【００８５】
加湿運転の第２動作では、図６及び図７に示すように、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となり、給気ファン（85）及び排気ファン（88）が運転される。
【００８６】
加湿運転の第２動作において、ダクトを流れて外気吸込室（19c）に取り込まれた室外空気（OA）は、外気流入路（61）を通って下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【００８７】
レヒート熱交換器（35）で加熱された空気は、上部外気流路（63b）、中間外気流路（64）、第１ダンパ（D1）を順に流れ、第１吸着熱交換器（33a）を通過する。放熱器として機能する第１吸着熱交換器（33a）では、吸着剤から脱離した水分が空気に付与される。第１吸着熱交換器（33a）で加湿された空気は、第７ダンパ（D7）、上部給気流路（70）、室内給気室（19a）を順に流れ、ダクトを通って室内空間へ供給空気（SA）として供給される。
【００８８】
加湿運転の第２動作において、室内側のダクトを流れて内気吸込室（19d）に取り込まれた室内空気（RA）は、上部内気流路（69）、第６ダンパ（D6）を順に流れ、第２吸着熱交換器（33b）を通過する。蒸発器として機能する第２吸着熱交換器（33b）では、空気中の水蒸気が吸着剤に吸着される。第２吸着熱交換器（33b）の吸着剤に水分を奪われた空気は、第４ダンパ（D4）、中間排気流路（65）、排気連絡流路（68）、室外排気室（19b）を順に流れ、ダクトを通って室外空間へ排出空気（EA）として排出される。
【００８９】
〈制御器による圧縮機の制御〉
上述したように、制御器（100）の圧縮機制御部（101）は、圧縮機（31）の容量を調節する動作を行う。この圧縮機制御部（101）が行う動作について説明する。
【００９０】
圧縮機制御部（101）は、調湿負荷に見合った調湿能力を調湿装置（10）に発揮させるのに必要な圧縮機（31）の容量（即ち、要求容量）を決定する。具体的に、圧縮機制御部（101）は、湿度センサ（111,113）及び外気温度センサ（114,115）の計測値や、室内空気の湿度の設定値などに基づいて調湿能力の過不足を判断し、調湿装置（10）が調湿負荷に見合った調湿能力を発揮するような圧縮機（31）の回転速度（要求回転速度Ｎ）を決定する。この圧縮機（31）の要求回転速度Ｎが、圧縮機（31）の要求容量である。圧縮機制御部（101）は、要求回転速度Ｎを例えば１０分毎に更新する。
【００９１】
また、圧縮機制御部（101）は、第１動作および第２動作の実行中に冷凍サイクルの高圧と低圧の差ΔＰが基準圧力を超えると、切換準備動作を行う。この圧縮機制御部（101）の動作について、図１０を参照しながら説明する。
【００９２】
上述したように、冷媒回路（30）では、所定の切換時間が経過する毎に四方切換弁（32）が作動する。図１０では、時刻ｔ１０において四方切換弁（32）が第２状態から第１状態に切り換わり、時刻ｔ２０において四方切換弁（32）が第１状態から第２状態に切り換わり、時刻ｔ３０において四方切換弁（32）が第２状態から第１状態に切り換わり、時刻ｔ４０において四方切換弁（32）が第１状態から第２状態に切り換わり、時刻ｔ５０において四方切換弁（32）が第２状態から第１状態に切り換わる。
【００９３】
例えば、時刻ｔ１０において第１動作が開始すると、圧縮機制御部（101）は、圧縮機（31）の回転速度を要求回転速度Ｎに保持する。そして、次に四方切換弁（32）が作動する時刻ｔ２０よりも第１所定時間Δｔ１だけ前の時刻ｔ１２になると、圧縮機制御部（101）は、圧力差ΔＰを基準圧力と比較する。具体的に、圧縮機制御部（101）は、高圧センサ（118）の計測値ＰＨから低圧センサ（119）の計測値ＰＬを差し引くことによって圧力差ΔＰを算出し（ΔＰ＝ＰＨ−ＰＬ）、算出した圧力差ΔＰが基準圧力を超えるか否かを判断する。なお、第１所定時間Δｔ１は例えば２０秒に設定され、基準圧力は例えば１.５ＭＰａに設定される。
【００９４】
時刻ｔ１２における圧力差ΔＰが基準圧力以下である場合、圧縮機制御部（101）は、圧縮機（31）の回転速度を要求回転速度Ｎに保持し続ける。この場合は、時刻ｔ１２を過ぎた後も圧縮機（31）の回転速度が要求回転速度Ｎに保持され、時刻ｔ２０において四方切換弁（32）が第１状態から第２状態に切り換わる。
【００９５】
一方、時刻ｔ１２における圧力差ΔＰが基準圧力を超える場合、圧縮機制御部（101）は、切換準備動作を行う。具体的に、圧縮機制御部（101）は、圧縮機（31）の回転速度を要求回転速度Ｎから切換時回転速度Ｎ'へ引き下げるための動作を開始する。なお、要求回転速度Ｎと切換時回転速度Ｎ'の差ΔＮ（＝Ｎ−Ｎ'）は、例えば２２ｒｐｓ（毎秒２２回転）に設定される。圧縮機（31）に設けられた圧縮機構や電動機の回転子にはある程度の質量があるため、それらの回転速度を瞬時に変化させることはできない。そのため、圧縮機（31）の回転速度は、時刻ｔ１２から次第に低下し始め、Δｔ３秒後の時刻ｔ１３に切換時回転速度Ｎ'となる。その後、圧縮機制御部（101）は、次に四方切換弁（32）が作動する時刻ｔ２０までの間、圧縮機（31）の回転速度を切換時回転速度Ｎ'に保持する。
【００９６】
時刻ｔ２０において四方切換弁（32）が第１状態から第２状態へ切り換わると、圧縮機制御部（101）は、圧縮機（31）の回転速度を切換時回転速度Ｎ'から要求回転速度Ｎへ戻すための動作を開始する。上述したように、圧縮機（31）の回転速度を変化させるには、ある程度の時間を要する。そのため、圧縮機（31）の回転速度は、時刻ｔ２０から次第に上昇し始め、Δｔ３秒後の時刻ｔ２１に要求回転速度Ｎとなる。
【００９７】
時刻ｔ２０に開始した第２動作中も、圧縮機制御部（101）は、時刻ｔ１０に開始した第１動作中と同じ動作を行う。つまり、次に四方切換弁（32）が作動する時刻ｔ３０よりもよりも第１所定時間Δｔ１だけ前の時刻ｔ２２になると、圧縮機制御部（101）は、圧力差ΔＰを基準圧力と比較する。圧力差ΔＰが基準圧力以下である場合、圧縮機制御部（101）は、圧縮機（31）の回転速度を要求回転速度Ｎに保持する。一方、圧力差ΔＰが基準圧力を超える場合、圧縮機制御部（101）は、切換準備動作を行う。つまり、圧縮機制御部（101）は、時刻ｔ２２からΔｔ３秒かけて圧縮機（31）の回転速度を要求回転速度Ｎから切換時回転速度Ｎ'に引き下げ、その後は次に四方切換弁（32）が作動する時刻ｔ３０まで圧縮機（31）の回転速度を切換時回転速度Ｎ'に保持する。そして、時刻ｔ３０において四方切換弁（32）が第２状態から第１状態に切り換わると、圧縮機制御部（101）は、時刻ｔ３０からΔｔ３秒かけて圧縮機（31）の回転速度を切換時回転速度Ｎ'から要求回転速度Ｎに戻す。以後、圧縮機制御部（101）は、同様の動作を繰り返す。
【００９８】
〈制御器による膨張弁の制御〉
上述したように、制御器（100）の膨張弁制御部（102）は、第１膨張弁（37）及び第２膨張弁（38）の開度を調節する動作を行う。この膨張弁制御部（102）が行う動作について説明する。
【００９９】
除湿運転中において、膨張弁制御部（102）は、第１膨張弁（37）の開度を調節し、第２膨張弁（38）を全閉状態または僅かに開いた状態に保持する。ここでは、除湿運転中に膨張弁制御部（102）が第１膨張弁（37）の開度を調節する動作について、図１０を参照しながら説明する。
【０１００】
時刻ｔ１０には、四方切換弁（32）が作動し、調湿装置（10）の動作が第２動作から第１動作に切り換わる。膨張弁制御部（102）は、第２動作が終了する時刻ｔ１０における第１膨張弁（37）の開度を記憶する。
【０１０１】
時刻ｔ１０において第１動作が開始すると、膨張弁制御部（102）は、次に四方切換弁（32）が作動する時刻ｔ２０よりもよりも第２所定時間Δｔ２だけ前の時刻ｔ１４になるまでの間、第１膨張弁（37）の開度を一定に保持する。そして、時刻ｔ１４を過ぎると、膨張弁制御部（102）は、蒸発器として機能する第１吸着熱交換器（33a）の出口における冷媒の過熱度ＳＨが所定の目標過熱度となるように、第１膨張弁（37）の開度を調節する。なお、第２所定時間Δｔ２は例えば１２秒に設定される。
【０１０２】
その際、膨張弁制御部（102）は、第１冷媒温度センサ（116）の計測値と低圧センサ（119）の計測値とを用いて冷媒の過熱度ＳＨを算出する。そして、算出した過熱度ＳＨが目標過熱度よりも高ければ第１膨張弁（37）の開度を増やし、算出した過熱度ＳＨが目標過熱度よりも低ければ第１膨張弁（37）の開度を減らす。
【０１０３】
四方切換弁（32）が作動して第１動作が終了する時刻ｔ２０になると、膨張弁制御部（102）は、時刻ｔ２０における第１膨張弁（37）の開度を記憶する。
【０１０４】
時刻ｔ２０において第２動作が開始すると、膨張弁制御部（102）は、第１膨張弁（37）の開度を、前回の第２動作が終了した時刻ｔ１０における開度に変化させ、その開度に保持する。なお、第１膨張弁（37）の開度を変化させる場合は、その弁体がパルスモータによって駆動される。そのため、第１膨張弁（37）の開度は、瞬時には変化せず、ある程度の時間をかけて次第に変化する。
【０１０５】
膨張弁制御部（102）は、次に四方切換弁（32）が作動する時刻ｔ３０よりもよりも第２所定時間Δｔ２だけ前の時刻ｔ２４になるまでの間、第１膨張弁（37）の開度を一定に保持する。そして、時刻ｔ２４を過ぎると、膨張弁制御部（102）は、蒸発器として機能する第２吸着熱交換器（33b）の出口における冷媒の過熱度ＳＨが所定の目標過熱度となるように、第１膨張弁（37）の開度を調節する。
【０１０６】
その際、膨張弁制御部（102）は、第２冷媒温度センサ（117）の計測値と低圧センサ（119）の計測値とを用いて冷媒の過熱度ＳＨを算出する。そして、算出した過熱度ＳＨが目標過熱度よりも高ければ第１膨張弁（37）の開度を増やし、算出した過熱度ＳＨが目標過熱度よりも低ければ第１膨張弁（37）の開度を減らす。
【０１０７】
四方切換弁（32）が作動して第２動作が終了する時刻ｔ３０になると、膨張弁制御部（102）は、時刻ｔ３０における第１膨張弁（37）の開度を記憶する。また、時刻ｔ３０において第１動作が開始すると、膨張弁制御部（102）は、第１膨張弁（37）の開度を、前回の第１動作が終了した時刻ｔ２０における開度に変化させ、その開度に保持する。以後、膨張弁制御部（102）は、同様の動作を繰り返す。
【０１０８】
ところで、本実施形態の制御器（100）では、第１所定時間Δｔ１が第２所定時間Δｔ２よりも長くなっている。このため、図１０に示すように、時刻ｔ１０に開始した第１動作では、圧縮機制御部（101）が切換準備動作を行うことによって圧縮機（31）の回転速度が時刻ｔ１３に切換時回転速度Ｎ'にまで下がり、この時刻ｔ１３よりも後の時刻１４に膨張弁制御部（102）が第１膨張弁（37）の開度調節を開始する。同様に、時刻ｔ２０に開始した第２動作では、圧縮機制御部（101）が切換準備動作を行うことによって圧縮機（31）の回転速度が時刻ｔ２３に切換時回転速度Ｎ'にまで下がり、この時刻ｔ２３よりも後の時刻２４に膨張弁制御部（102）が第１膨張弁（37）の開度調節を開始する。このように、本実施形態の調湿装置（10）では、圧縮機（31）の回転速度が切換時回転速度Ｎ'に保持された状態で、第１膨張弁（37）の開度調節が行われる。
【０１０９】
加湿運転中においても、膨張弁制御部（102）は、除湿運転中と同様の動作を行う。上述したように、加湿運転中において、膨張弁制御部（102）は、第１膨張弁（37）を全閉状態に保持して第２膨張弁（38）の開度を調節する動作と、第２膨張弁（38）を全閉状態または微小開度に保持して第１膨張弁（37）の開度を調節する動作とを、選択的に行う。そして、膨張弁制御部（102）は、四方切換弁（32）が作動するまでのΔｔ２秒間において、第１膨張弁（37）又は第２膨張弁（38）の開度を調節する。
【０１１０】
−実施形態の効果−
本実施形態の調湿装置（10）において、制御器（100）の圧縮機制御部（101）は、冷媒回路（30）が行う冷凍サイクルの高圧と低圧の差ΔＰが基準圧力を超えると、切換準備動作を行う。このため、四方切換弁（32）が作動するまでの第１所定時間Δｔ１に亘って圧縮機（31）の回転速度が一時的に低下し、圧力差ΔＰも低下する。この点について、図１１を参照しながら説明する。図１１は、冷媒回路（30）における圧力差ΔＰの変動を示したグラフである。
【０１１１】
時刻ｔ１０において四方切換弁（32）が作動し、調湿装置（10）が第２動作から第１動作に切り換わったとする。この場合、時刻ｔ１０では、第２動作中に凝縮器として機能していた第１吸着熱交換器（33a）が圧縮機（31）の吸入管（31b）に接続し、第２動作中に蒸発器として機能していた第２吸着熱交換器（33b）が圧縮機（31）の吐出管（31a）に接続する。このため、圧力差ΔＰは、図１０に実線で示すように、急激に減少した後に次第に増加する。
【０１１２】
時刻ｔ１２では圧力差ΔＰが基準圧力である１.５ＭＰａを超えているため、圧縮機制御部（101）が切換準備動作を実行する。時刻ｔ１２において圧縮機制御部（101）が切換準備動作を開始すると、圧縮機（31）の回転速度が低下するため、圧力差ΔＰが次第に低下する。圧力差ΔＰは、次に四方切換弁（32）が作動する時刻ｔ２０まで低下し続ける。
【０１１３】
時刻ｔ２０において四方切換弁（32）が作動し、調湿装置（10）が第１動作から第２動作に切り換わると、第１動作中に凝縮器として機能していた第２吸着熱交換器（33b）が圧縮機（31）の吸入管（31b）に接続し、第１動作中に蒸発器として機能していた第１吸着熱交換器（33a）が圧縮機（31）の吐出管（31a）に接続する。このため、圧力差ΔＰは、図１０に実線で示すように、急激に減少した後に次第に増加する。
【０１１４】
時刻ｔ２２では圧力差ΔＰが基準圧力である１.５ＭＰａを超えているため、圧縮機制御部（101）が切換準備動作を実行する。時刻ｔ２２において圧縮機制御部（101）が切換準備動作を開始すると、圧縮機（31）の回転速度が低下するため、圧力差ΔＰが次第に低下する。圧力差ΔＰは、次に四方切換弁（32）が作動する時刻ｔ３０まで低下し続ける。
【０１１５】
このように、制御器（100）の圧縮機制御部（101）が切換準備動作を実行すると、四方切換弁（32）が作動する時点における圧力差ΔＰは、四方切換弁（32）が作動するまで圧縮機（31）の運転容量を一定に保持した場合（図１０に破線で示す場合）に比べて、小さくなる。従って、本実施形態によれば、四方切換弁（32）の作動に伴う冷媒の流れ方向や流速の変動を抑えることができ、四方切換弁（32）の作動に起因する騒音の小さくすることができる。
【０１１６】
また、本実施形態の制御器（100）では、第１所定時間Δｔ１が第２所定時間Δｔ２よりも長くなっている。このため、圧縮機制御部（101）が切換準備動作を実行する場合であっても、膨張弁制御部（102）が膨張弁（37,38）の開度を調節する間は、圧縮機（31）の回転速度が一定に保たれる。従って、本実施形態によれば、圧縮機（31）の回転速度が一定に保持された状態で膨張弁（37,38）の開度調節を行うことができ、膨張弁（37,38）の開度を適切に制御することが可能となる。
【産業上の利用可能性】
【０１１７】
以上説明したように、本発明は、吸着熱交換器を備えてバッチ動作を行う調湿装置について有用である。
【符号の説明】
【０１１８】
10    調湿装置
30    冷媒回路
31    圧縮機
32    四方切換弁
33a   第１吸着熱交換器
33b   第２吸着熱交換器
37    膨張弁
38    膨張弁
100    制御器
【図１】
0005786774.tif 000002
【図２】
0005786774.tif 000003
【図３】
0005786774.tif 000004
【図４】
0005786774.tif 000005
【図５】
0005786774.tif 000006
【図６】
0005786774.tif 000007
【図７】
0005786774.tif 000008
【図８】
0005786774.tif 000009
【図９】
0005786774.tif 000010
【図１０】
0005786774.tif 000011
【図１１】
0005786774.tif 000012
【図１２】
0005786774.tif 000013